(57)【要約】      （修正有）【課題】今乗車している籠内に追加乗車を可能にする情報を、適切なタイミングで適切な場所に案内すること。【解決手段】籠内の画像から籠内に追加乗車可能な空間の有無を判定し、有無に基づいて籠内の混雑状況を判定し、籠の扉が開いている間に判定した混雑状況を乗車しているフロアに案内する。また、籠内に追加乗車可能な空間の位置を判定し、前記空間の位置を籠に乗車済みのユーザが移動可能な方向として、籠の扉が開いている間に移動可能な方向を籠内に案内する。【選択図】図３
2019059613.tif 000002
【特許請求の範囲】
【請求項１】
籠内の画像から、当該籠内の混雑状況を解析する情報処理装置であって、
前記画像から、当該籠内に追加乗車可能な空間の有無を判定する空間判定手段と、
前記空間の有無に基づいて、当該籠内の混雑状況を判定する混雑状況判定手段と、
当該籠に乗車しているフロアに前記混雑状況を案内するべく制御する混雑状況案内手段と、
を備え、
当該籠の扉が開いている間に判定した前記混雑状況を、前記乗車しているフロアに案内することを特徴とする情報処理装置。
【請求項２】
当該籠の扉が閉じている間に判定した前記籠内の混雑状況は前記乗車しているフロアへへの案内を停止することを特徴とする請求項１に記載の情報処理装置。
【請求項３】
当該籠の扉が開いている間に判定した前記混雑状況を、前記乗車しているフロアにのみ案内し、前記乗車していないフロアには案内しないことを特徴とする請求項１または請求項２に記載の情報処理装置。
【請求項４】
前記空間判定手段が、当該籠内に追加乗車可能な空間の量を示す値を算出し、
前記混雑状況案内手段が、前記算出した値によって、混雑状況が異なる複数レベルで案内することを特徴とする請求項１乃至請求項３の何れか１項に記載の情報処理装置。
【請求項５】
籠内の画像から、当該籠内の混雑状況を解析する情報処理装置であって、
前記画像から、当該籠内に追加乗車可能な空間の位置を判定する位置判定手段と、
当該籠に乗車している籠内に、前記空間の位置を当該籠に乗車済みのユーザが移動可能な方向として案内するべく制御する方向案内手段と、
を備え、
当該籠の扉が開いている間に判定した前記移動可能な方向を、前記乗車している籠内に案内することを特徴とする情報処理装置。
【請求項６】
前記方向案内手段が、前記前記移動可能な方向を音声で案内することを特徴とする請求項５または請求項６に記載の情報処理装置。
【請求項７】
籠内の画像から、当該籠内の混雑状況を解析する情報処理装置の制御方法であって、
前記情報処理装置の空間判定手段が、前記画像から、当該籠内に追加乗車可能な空間の有無を判定する空間判定工程と、
前記情報処理装置の混雑状況判定手段が、前記空間の有無に基づいて、当該籠内の混雑状況を判定する混雑状況判定工程と、
前記情報処理装置の混雑状況案内手段が、当該籠に乗車しているフロアに前記混雑状況を案内するべく制御する混雑状況案内工程と、
を含み、
当該籠の扉が開いている間に判定した前記混雑状況を、前記乗車しているフロアに案内することを特徴とする制御方法。
【請求項８】
籠内の画像から、当該籠内の混雑状況を解析する情報処理装置で読み取り実行可能なプログラムであって、
前記情報処理装置を、
前記画像から、当該籠内に追加乗車可能な空間の有無を判定する空間判定手段と、
前記空間の有無に基づいて、当該籠内の混雑状況を判定する混雑状況判定手段と、
当該籠に乗車しているフロアに前記混雑状況を案内するべく制御する混雑状況案内手段と、
して機能させ、
当該籠の扉が開いている間に判定した前記混雑状況を、前記乗車しているフロアに案内するためのプログラム。
【請求項９】
籠内の画像から、当該籠内の混雑状況を解析する情報処理装置の制御方法であって、
前記情報処理装置の位置判定手段が、前記画像から、当該籠内に追加乗車可能な空間の位置を判定する位置判定工程と、
前記情報処理装置の方向案内手段が、当該籠に乗車している籠内に、前記空間の位置を当該籠に乗車済みのユーザが移動可能な方向として案内するべく制御する方向案内工程と、
を含み、
当該籠の扉が開いている間に判定した前記移動可能な方向を、前記乗車している籠内に案内することを特徴とする制御方法。
【請求項１０】
籠内の画像から、当該籠内の混雑状況を解析する情報処理装置で読み取り実行可能なプログラムであって、
前記情報処理装置を、
前記画像から、当該籠内に追加乗車可能な空間の位置を判定する位置判定手段と、
当該籠に乗車している籠内に、前記空間の位置を当該籠に乗車済みのユーザが移動可能な方向として案内するべく制御する方向案内手段と、
して機能させ、
当該籠の扉が開いている間に判定した前記移動可能な方向を、前記乗車している籠内に案内するためのプログラム。
【発明の詳細な説明】
【技術分野】
【０００１】
本発明は、情報処理装置、その制御方法とプログラムの技術に関する。
【背景技術】
【０００２】
エレベーター内にどれだけの人が乗っているかは、エレベーターの外側からわからないので、ある程度人が乗り込んだ時点で乗ることを諦めてしまうことがある。このような状況が繰り返されることでエレベーターに乗り込めない人が徐々に増えてゆき、最終的にエレベーターフロアで渋滞が発生している。
【０００３】
特許文献１には、エレベーターに乗り降りする人数を画像情報から正確に計数する技術が開示されている。
【先行技術文献】
【特許文献】
【０００４】
【特許文献１】特開２０１３−１７５０４９号公報
【発明の概要】
【発明が解決しようとする課題】
【０００５】
特許文献１のように、エレベーターに乗り降りする人数を画像情報から正確に計数する技術だけでは、エレベーターフロアで乗車待ちのユーザに対して、エレベーター内の混雑状況を把握することはできないので、ある程度人が乗り込んだ時点で乗ることを諦めてしまう人を減らす対策には繋がらない。
【０００６】
そこで、本発明は、今乗車している籠内に追加乗車を可能にする情報を、適切なタイミングで適切な場所に案内することが可能な仕組みを提供することを目的とする。
【課題を解決するための手段】
【０００７】
本発明は、籠内の画像から、当該籠内の混雑状況を解析する情報処理装置であって、前記画像から、当該籠内に追加乗車可能な空間の有無を判定する空間判定手段と、前記空間の有無に基づいて、当該籠内の混雑状況を判定する混雑状況判定手段と、当該籠に乗車しているフロアに前記混雑状況を案内するべく制御する混雑状況案内手段と、を備え、当該籠の扉が開いている間に判定した前記混雑状況を、前記乗車しているフロアに案内することを特徴とする。
【０００８】
本発明は、籠内の画像から、当該籠内の混雑状況を解析する情報処理装置であって、前記画像から、当該籠内に追加乗車可能な空間の位置を判定する位置判定手段と、当該籠に乗車している籠内に、前記空間の位置を当該籠に乗車済みのユーザが移動可能な方向として案内するべく制御する方向案内手段と、を備え、当該籠の扉が開いている間に判定した前記移動可能な方向を、前記乗車している籠内に案内することを特徴とする。
【発明の効果】
【０００９】
本発明により、今乗車している籠内に追加乗車を可能にする情報を、適切なタイミングで適切な場所に案内することが可能な仕組みを提供することが可能となる。
【図面の簡単な説明】
【００１０】
【図１】本発明の情報処理システムのシステム構成等の一例を示す図である。
【図２】情報処理装置等のハードウェア構成の一例を示す図である。
【図３】本発明の情報処理システムを適用可能なエレベーターとエレベーターフロアとの相対的な位置関係を示す図である。
【図４】籠内の画像を解析することで得られる空き面積率算出の判断ロジックを示す概念図である。
【図５】混雑状況案内処理の全体的な流れを示すフローチャートである。
【図６】混雑状況案内処理の全体的な流れを示すフローチャートである。
【図７】情報処理装置が記憶する各種データテーブルを示す図である。
【図８】情報処理システムの機能ブロックの一例を示す図である。
【発明を実施するための形態】
【００１１】
以下、図面を参照して、本発明の実施形態を詳細に説
【００１２】
（情報処理システムのシステム構成）
図１は、本実施形態における情報処理システムのシステム構成の一例を示す図である。
【００１３】
情報処理システムは、エレベーター管理システム１００、ネットワークカメラ１０１、パトランプ１０２、スピーカー１０３は、情報処理装置１０５で構成されている。
【００１４】
更にエレベーター管理システム１００、ネットワークカメラ１０１、パトランプ１０２、スピーカー１０３は、情報処理装置１０５は、ネットワーク１０４を介して相互に通信可能に接続されている。
【００１５】
エレベーター管理システム１００は図３に示したようなエレベーターの扉の開閉制御や昇降制御のシステムを管理し、エレベーター毎の開閉情報、昇降情報、乗車重量情報などの情報も合わせて管理している。
【００１６】
ネットワークカメラ１０１はエレベーター毎の天井付近に設置されたカメラであり、天井付近から下方の向きを撮影することで、図４に示すように籠内の人物（乗員）や荷物、空き床面積を含んだ画像（映像）を撮影することが出来る。
【００１７】
パトランプ１０２はエレベーターフロア（エレベーターの外側）に設置された赤、黄色、緑等（複数レベル）の３色がそれぞれ点灯可能なランプである。
【００１８】
スピーカー１０３はエレベーターの内側に設置された音声案内用のスピーカーである。
【００１９】
情報処理装置１０５は画像（映像）を解析して、エレベーターの内側の混雑状況をリアルタイムに判断するサーバである。
【００２０】
ネットワーク１０４は、ＬＡＮ（Ｌｏｃａｌ  Ａｒｅａ  Ｎｅｔｗｏｒｋ）やインターネット等の通信ネットワークで
【００２１】
（情報処理システムの各要素のハードウェア構成）
図２は、本実施形態における情報処理装置１０５のハードウェア構成の一例を示す図である。
【００２２】
情報処理装置１０５は、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３を含む。また、情報処理装置１０５は、入力コントローラ２０５、ビデオコントローラ２０６、メモリコントローラ２０７、通信Ｉ／Ｆコントローラ２０８、デバイスＩ／Ｆコントローラ２１２を含む。各要素は、システムバス２０４を介して相互に通信可能に接続されている。
【００２３】
ＣＰＵ２０１は、システムバス２０４に接続される各デバイスやコントローラを統括的に制御する中央演算装置である。
【００２４】
ＲＯＭ２０２は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）、本実施形態の処理を実現するためのコンピュータ読み取り実行可能なプログラム、各種データを記憶する記憶装置である。
【００２５】
ＲＡＭ２０３は、ＣＰＵ２０１の主メモリ、ワークエリア等として機能する記憶装置である。ＣＰＵ２０１は、処理の実行に際して必要なプログラム等をＲＯＭ２０２や外部メモリ２１１からＲＡＭ２０３にロードし、ロードしたプログラムを実行することで各種処理を実現する。
【００２６】
入力コントローラ２０５は、キーボード（ＫＢ）２０９やマウス等のポインティングデバイス等の入力装置からの入力を制御するコントローラである。入力コントローラ２０５は、入力装置がタッチパネルの場合、操作者がタッチパネルに表示されたアイコンやカーソルやボタンに合わせて選択（指等でタッチ）することにより、各種の入力を受付けることができる。入力コントローラ２０５は、マルチタッチスクリーン等の、複数の指でタッチされた位置を検出することが可能なタッチパネルである入力装置からの入力を受付けることもできる。
【００２７】
ビデオコントローラ２０６は、ディスプレイ２１０等の外部出力装置への情報の表示を制御する。ディスプレイ２１０は、情報処理装置１０５本体と分離したディスプレイであってもよいし、情報処理装置１０５本体と一体になったノート型パソコンのディスプレイであってもよい。ビデオコントローラ２０６は、外部出力装置として、ディスプレイ２１０でなく、例えばプロジェクタ等に情報を出力してもよい。また、ビデオコントローラ２０６は、タッチ操作を受け付け可能な入力装置でもあるタッチパネル等の外部出力装置への情報の表示を制御してもよい。
【００２８】
また、ビデオコントローラ２０６は、表示制御を行うためのビデオメモリ（ＶＲＡＭ）を制御できる。ビデオコントローラ２０６は、ビデオメモリ領域であるＲＡＭ２０３の一部を利用することもできるし、ＲＡＭ２０３と別途に設けられた専用のビデオメモリを利用することもできる。
【００２９】
メモリコントローラ２０７は、外部メモリ２１１に対する情報の入出力を制御するコントローラである。
【００３０】
外部メモリ２１１は、ブートプログラム、各種アプリケーション、フォントデータ、ユーザファイル、編集ファイル、および各種データ等を記憶する記憶装置である。外部メモリ２１１は、例えば、ハードディスク、フレキシブルディスク（ＦＤ）、ＰＣＭＣＩＡカードスロットにアダプタを介して接続されるコンパクトフラッシュ（登録商標）メモリ、ソリッドステートドライブ等である。
【００３１】
通信Ｉ／Ｆコントローラ２０８は、ネットワーク１０４を介した外部機器との接続・通信に利用され、通信制御処理を実行するコントローラである。通信Ｉ／Ｆコントローラ２０８は、例えば、ＴＣＰ／ＩＰを用いた通信やＩＳＤＮ等の電話回線、携帯電話の３Ｇ回線を用いた通信等が可能である。
【００３２】
また、ＣＰＵ２０１は、例えば、ＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上のマウスカーソル等を介して、操作者からの指示を受付けることができる。
【００３３】
ＣＰＵ２０１が、ＲＯＭ２０２又は外部メモリ２１１に記憶されたプログラムに基づき処理を実行することで、情報処理装置１０５の機能及び図５、図６で後述するフローチャートにおける情報処理装置１０５の処理等が実現される。
【００３４】
ネットワークカメラ１０１とパトランプ１０２、スピーカー１０３のハードウェア構成で情報処理を実行する部分は、図２に示す情報処理装置１０５のハードウェア構成と同様な構成である。
【００３５】
本実施形態では、情報処理装置１０５の外部メモリは、各種テーブルの情報を記憶するとする。また、情報処理装置１０５のＲＯＭが、各種テーブルの情報を記憶することとしてもよい。
【００３６】
情報処理装置１０５のＣＰＵが、情報処理装置１０５のＲＯＭ又は外部メモリに記憶されたプログラムに基づき処理を実行することで、情報処理装置１０５の機能及び図５、図６で後述するフローチャートにおける情報処理装置１０５の処理等が実現される。
【００３７】
図３は、エレベーターフロアで乗車待ちのユーザが、エレベーターの扉が開いている間にパトランプの点灯状態をみて、エレベーターの内側の混雑状況を確認している状況を模写したものである。その時同時に、エレベーターの中の乗員には、エレベーターフロアで乗車待ちのユーザを追加で乗車可能にするためにスピーカーによって、移動可能な方向が音声案内されている状況を模写したものである。
【００３８】
図４は、籠内の画像を解析する流れを示したものである。まず籠内の画像から、人物・貨物の領域と、空き床面積（追加で乗車可能な空間）をそれぞれ分類する。
【００３９】
次に空き床面積（追加で乗車可能な空間）から、乗員が扉方向を見た場合のその空き床面積（追加で乗車可能な空間）の方向を特定する。この例の場合には、右後ろ方向と真後ろ方向の２方向に移動可能な方向が存在することになる。
【００４０】
最後に、それぞれ分類した人物・貨物の領域と、空き床面積（追加で乗車可能な空間）から、空き床面積（追加で乗車可能な空間）の比率を算出している。
【００４１】
図５、図６は情報処理装置１０５のＣＰＵが実行する混雑状況案内処理の全体的な流れを示すフローチャートである。
【００４２】
Ｓ１０１では本発明の情報処理システムを稼働させて、混雑状況案内処理フローを開始する
Ｓ１０２では情報処理システムが稼働している間、Ｓ１０２からＳ１２３までの全ての処理を所定の間隔（例えば１秒間隔）で繰り返す。
【００４３】
Ｓ１０３では対象となる籠の扉の開閉状況をエレベーター管理システム１００から取得する。
【００４４】
Ｓ１０４では籠のその時点の扉の開閉状況を判断して後続の処理に分岐する。
【００４５】
Ｓ１０５はＳ１０４で開と判断した場合であり、エレベーター籠内の重量を取得する。
【００４６】
Ｓ１０６はＳ１０４で閉と判断した場合であり、全ての色のパトランプを消灯（案内の停止）する。
【００４７】
Ｓ１０７ではＳ１０５で取得した重量情報から重量限界を判断して後続処理を分岐する。
【００４８】
Ｓ１０８はＳ１０７で重量＜重量限界と判断した場合であり、籠内の床面画像を取得する。
【００４９】
Ｓ１０９はＳ１０７で重量≧重量限界と判断した場合であり、パトランプ設定を余裕なしである赤色点灯に設定する。
【００５０】
Ｓ１１０ではＳ１０８で取得した床面画像から人やモノの存在領域（使用面積）をそれぞれ特定する。
【００５１】
Ｓ１１１ではＳ１０８で取得した床面画像から、その時点の扉の方を見て後方左側、扉の方を見て後方側、扉の方を見て後方右側に空きスペース（追加乗車可能な空間）があるか否か、及び、存在する空きスペースの籠内での乗車済みのユーザに対する相対的な移動可能位置や移動可能方向を解析する。
【００５２】
Ｓ１１２では各存在領域（使用面積）が納まる最小の正方形にして、確定存在領域（第２の使用面積）を特定する。
【００５３】
Ｓ１１３ではＳ１１２でのすべての確定存在領域（第２の使用面積）を加算し、人や物によるその時点の籠内の使用面積（第３の使用面積）を算出する。
【００５４】
Ｓ１１４ではその時点の空面積率を算出する。空面積率は以下の数式で求まるものとする。（床総面積ー第３の使用面積の合計）÷総床面積
Ｓ１１５ではＳ１１４で算出した空面積率（０％〜１００％）によって後続処理を分岐する。
【００５５】
Ｓ１１６はＳ１１５で空面積率（５０％〜１００％）と判断した場合であり、パトランプ設定を余裕ありである緑色点灯に設定する。
【００５６】
Ｓ１１７はＳ１１５で空面積率（３０％〜５０％）と判断した場合であり、パトランプ設定を少し余裕ありである黄色点灯に設定する。
【００５７】
Ｓ１１８はＳ１１５で空面積率（０％〜３０％）と判断した場合であり、パトランプ設定を余裕なしである赤色点灯に設定する。
【００５８】
Ｓ１１９ではその時点の音声案内の放送状況を判断して後続処理を分岐する。
【００５９】
Ｓ１２２はＳ１１９でただ今音声案内放送中ではないと判断された場合であり、Ｓ１１６〜Ｓ１１８でのパトランプ設定に従った色のランプを、パトランプ１０２が点灯するよう制御する。
【００６０】
Ｓ１２０はＳ１１９でただ今音声案内放送中でないと判断された場合であり、Ｓ１１１で判定された空きスペース有無によって後続処理を分岐する。Ｓ１２０で空きスペース無と判断した場合は、Ｓ１２２に進んでＳ１１６〜Ｓ１１８でのパトランプ設定に従った色のランプを点灯する。
【００６１】
Ｓ１２１はＳ１２０で空きスペース有と判断した場合であり、Ｓ１１１の解析結果からその時点の移動可能な方向を決定して、決定した移動すべき方向に対応する音声放送を籠内へスピーカー１０３が音声案内するように制御する。更に、Ｓ１２２に進んでＳ１１６〜Ｓ１１８でのパトランプ設定に従った色のランプを点灯する。
【００６２】
Ｓ１２３では情報処理システムが稼働している間（はい）は繰り返しＳ１０２にリターンする。
【００６３】
Ｓ１２４では情報処理システムが稼働していない場合（いいえ）、処理フローを終了する。
【００６４】
図７上は、情報処理装置１０５の記憶手段に予め定義されている点灯指示テーブル７０１であり、算出した空き面積率（混雑状況）とどの色のランプを点灯させるかの指示を対応づけたテーブルである。空面積率算出部４２８がこの点灯指示テーブル７０１を参照してパトランプ１０２にその時点で適切なパトランプの点灯指示を送信する。
【００６５】
図７下は、情報処理装置１０５の記憶手段に予め定義されている音声案内テーブル７０２であり、特定した移動可能方向とどのタイプの音声案内を籠内で放送させるかの指示を対応づけたテーブルである。移動方向解析部４２９がこの音声案内テーブル７０２を参照してスピーカー１０３にその時点で適切な音声案内内容の放送指示を送信する。
【００６６】
図８は情報処理システムの機能ブロックの一例を示す図である。
【００６７】
重量情報取得部４０１は、案内対象の籠内の乗員や貨物等の総重量を取得する機能である。
【００６８】
扉開閉情報取得部４０２は、案内対象の籠の扉の開閉情報を取得する機能である。
【００６９】
画像撮影部４１１は、案内対象の籠内に設置されたネットワークカメラ１０１による案内対象の籠内の画像（映像）を撮影する機能である。
【００７０】
重量閉情報受信部４２１は、案内対象の籠内の乗員や貨物等の総重量を受信する機能である。
【００７１】
重量判定部４２２は、案内対象の籠内の乗員や貨物等の総重量が上限に達したかを判断する機能である。
【００７２】
扉開閉情報受信部４２３は、案内対象の籠の扉の開閉情報を受信する機能である。
【００７３】
扉開閉判定部４２４は、案内対象の籠の扉の開閉状態を判断する機能である。
【００７４】
画像受信部４２５は、案内対象の籠内の画像（映像）を受信する機能である。
【００７５】
画像解析部４２６は、案内対象の籠内の画像（映像）を画像解析する機能である。
【００７６】
空き空間有無判定部４２７は、画像解析結果から空き空間の有無等を判定する機能である（空間判定手段）。
【００７７】
空面積率算出部４２８は、画像解析結果から空面積率等を算出することで案内対象の籠内の混雑状況を判定する機能である（混雑状況判定手段）。
【００７８】
移動方向解析部４２９は、画像解析結果から乗員が移動可能な方向を解析する機能である（位置判定手段）。
【００７９】
点灯指示受付部４３１は、どの色を点灯するかの指示を受信する機能である。
【００８０】
点灯部４３２は、受信した指示の色のランプを点灯する機能である（混雑状況案内手段）。
【００８１】
案内指示受付部４４１は、どの内容を音声案内するかの指示を受信する機能である。
【００８２】
音声案内放送部４４２は、受信した指示に対応する音声案内を放送する機能である（方向案内手段）
【００８３】
（変形例）
以上、本発明の一実施形態について説明したが、本発明は、例えば、システム、装置、方法、プログラムもしくは記録媒体等としての実施態様をとることが可能である。具体的には、複数の機器から構成されるシステムに適用してもよいし、また、一つの機器からなる装置に適用しても良よい。
【００８４】
また、本発明におけるプログラムは、図５、図６に示すフローチャートの処理方法をコンピュータが実行可能なプログラムであり、本発明の記憶媒体は図５、図６の処理方法をコンピュータが実行可能なプログラムが記憶されている。なお、本発明におけるプログラムは図５、図６の各装置の処理方法ごとのプログラムであってもよい。
【００８５】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成される。
【００８６】
この場合、記録媒体から読み出されたプログラム自体が本発明の新規な機能を実現することになり、そのプログラムを記録した記録媒体は本発明を構成することになる。
【００８７】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【００８８】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれる。
【００８９】
更に、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００９０】
また、本発明は、複数の機器から構成されるシステムに適用しても、ひとつの機器から成る装置に適用してもよい。また、本発明は、システムあるいは装置にプログラムを供給することによって達成される場合にも適応できる。この場合、本発明を達成するためのプログラムを格納した記録媒体を該システムあるいは装置に読み出すことによって、そのシステムあるいは装置が、本発明の効果を享受することが可能となる。
【００９１】
更に、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００９２】
１００  エレベーター管理システム
１０１  ネットワークカメラ
１０２  パトランプ
１０３  スピーカー
１０５  情報処理装置
【図１】
2019059613.tif 000003
【図２】
2019059613.tif 000004
【図３】
2019059613.tif 000005
【図４】
2019059613.tif 000006
【図５】
2019059613.tif 000007
【図６】
2019059613.tif 000008
【図７】
2019059613.tif 000009
【図８】
2019059613.tif 000010